(57)【要約】【課題】意匠性に優れ、かつ接続ボックスの収納場所を確保でき、さらには太陽電池パネルの設置効率および屋根の施工効率を向上させることが可能な屋根構造を提供することを目的とする。【解決手段】建物本体２の上部に設けられる屋根３は、陸屋根部４の一部に勾配屋根部５が設けられてなり、勾配屋根部５は、建物本体２の最上階を構成する複数の建物ユニット２ａのうち一つ分の建物ユニット２ａの上方に設けられている。陸屋根部４の上面には、陸屋根用の太陽電池パネルＰ１が設置されている。勾配屋根部５を構成する屋根面の下方には小屋裏空間Ｓが形成され、小屋裏空間Ｓには、太陽電池パネルＰ１，Ｐ２と建物本体２内に設置されるパワーコンディショナーとを接続する接続ボックスを収納するための収納部６が配設されている。【選択図】図１
2014227687.tif 000002
【特許請求の範囲】
【請求項１】
略直方体フレーム状に形成された複数の建物ユニットを組み合わせてなる建物本体と、当該建物本体の上部に設けられる屋根と、を備えたユニット式建物の屋根構造において、
前記屋根は、陸屋根部の一部に勾配屋根部が設けられてなり、
前記勾配屋根部は、前記建物本体の最上階を構成する複数の建物ユニットのうち一つ分の建物ユニットの上方に設けられ、
前記陸屋根部の上面には、陸屋根用の太陽電池パネルが設置され、
前記勾配屋根部を構成する屋根面の下方には小屋裏空間が形成され、
前記小屋裏空間には、前記太陽電池パネルと前記建物本体内に設置されるパワーコンディショナーとを接続する接続ボックスを収納するための収納部が配設されていることを特徴とするユニット式建物の屋根構造。
【請求項２】
請求項１に記載のユニット式建物の屋根構造において、
前記収納部は、前記接続ボックスを設置するための床を備えることを特徴とするユニット式建物の屋根構造。
【請求項３】
請求項１または２に記載のユニット式建物の屋根構造において、
前記勾配屋根部の上面には、勾配屋根用の太陽電池パネルが設置されていることを特徴とするユニット式建物の屋根構造。
【請求項４】
請求項１〜３のいずれか一項に記載のユニット式建物の屋根構造において、
前記勾配屋根部を構成する屋根面に天窓が形成されており、
前記小屋裏空間には、前記建物本体の最上階から当該小屋裏空間に吹き抜ける吹き抜け部が設けられ、この吹き抜け部の上方に前記天窓が配置されていることを特徴とするユニット式建物の屋根構造。
【請求項５】
請求項１〜４のいずれか一項に記載のユニット式建物の屋根構造において、
前記勾配屋根部は、
当該勾配屋根部の下端部を構成し、かつ前記一つの建物ユニットの上面に載置される小屋パネルと、
前記屋根面を構成する屋根パネルと、
前記小屋パネルの四隅に設けられるとともに前記屋根パネルを支持するようにして、当該小屋パネルと屋根パネルとを接合する接合金物と、を備えることを特徴とするユニット式建物の屋根構造。
【請求項６】
請求項１〜５のいずれか一項に記載のユニット式建物の屋根構造において、
前記勾配屋根部に隣接する前記陸屋根部は、前記勾配屋根部側の端部から上方に向かって立ち上がる防水立ち上がりを有することを特徴とするユニット式建物の屋根構造。
【発明の詳細な説明】
【技術分野】
【０００１】
本発明は、ユニット式建物の屋根構造に関する。
【背景技術】
【０００２】
従来、陸屋根の一部に勾配屋根が設けられてなる屋根構造が知られている（例えば、特許文献１参照）。このような屋根構造によれば、勾配屋根の内部を小屋裏部屋として利用したり、吹き抜けとしたりすることで建物の内部空間の拡張を図ることができる。
【先行技術文献】
【特許文献】
【０００３】
【特許文献１】特開平０８−１９３３７８号公報
【発明の概要】
【発明が解決しようとする課題】
【０００４】
ところで、従来のような陸屋根の一部に勾配屋根が設けられてなる屋根に太陽電池パネルを設置したいという要望があるが、陸屋根に対して勾配屋根が比較的広いことや、陸屋根上に勾配屋根の陰になる場所があることで、陸屋根への太陽電池パネルの設置効率がよくない場合がある。
さらに、このように勾配屋根が陸屋根に対して比較的広く設けられると、勾配屋根を、輸送車両の輸送制限以下のサイズにユニット化して輸送することが困難となるので、現場での組立や防水に係る手間が増えてしまい、屋根自体の施工効率がよくない場合がある。
【０００５】
また、太陽電池パネルと室内に設置されたパワーコンディショナーとを接続する接続ボックスは、防水上の観点から屋内に設置することが望ましい。陸屋根を備えた建物の場合は小屋裏空間が無く、最上階の天井懐のスペースも狭いため、例えば接続ボックスを最上階の部屋の収納室等に設置していた。しかしながら、最上階のスペース内に接続ボックスの設置スペースを確保してしまうと、その分、最上階の他のスペースが狭められてしまうため、より好ましい接続ボックスの収納場所を確保することが望まれていた。
【０００６】
また、陸屋根を備えた建物の場合、建物の上部が水平で画一的なため意匠性の面で単調になりがちだったため、単に陸屋根を備えるだけの屋根に比して、より意匠性に優れる屋根についても要望があった。
【０００７】
本発明の課題は、意匠性に優れ、かつ接続ボックスの収納場所を確保でき、さらには太陽電池パネルの設置効率および屋根の施工効率を向上させることが可能な屋根構造を提供することを目的とする。
【課題を解決するための手段】
【０００８】
請求項１に記載の発明は、例えば図１〜図１０に示すように、略直方体フレーム状に形成された複数の建物ユニット２ａを組み合わせてなる建物本体２と、当該建物本体２の上部に設けられる屋根３と、を備えたユニット式建物１の屋根構造において、
前記屋根３は、陸屋根部４の一部に勾配屋根部５（５Ａ）が設けられてなり、
前記勾配屋根部５（５Ａ）は、前記建物本体２の最上階を構成する複数の建物ユニット２ａのうち一つ分の建物ユニット２ａの上方に設けられ、
前記陸屋根部４の上面には、陸屋根用の太陽電池パネルＰ１が設置され、
前記勾配屋根部５（５Ａ）を構成する屋根面の下方には小屋裏空間Ｓが形成され、
前記小屋裏空間Ｓには、前記太陽電池パネルＰ１，Ｐ２と前記建物本体２内に設置されるパワーコンディショナーとを接続する接続ボックスを収納するための収納部６が配設されていることを特徴とする。
【０００９】
請求項１に記載の発明によれば、前記勾配屋根部５（５Ａ）は、前記建物本体２の最上階を構成する複数の建物ユニット２ａのうち一つ分の建物ユニット２ａの上方に設けられるものであるため、従来に比して、前記陸屋根部４に対する当該勾配屋根部５（５Ａ）の広さは比較的狭くなる。これによって、前記陸屋根部４に前記陸屋根用の太陽電池パネルＰ１をより多く設置できるとともに、当該設置された前記陸屋根用の太陽電池パネルＰ１が、前記勾配屋根部５（５Ａ）の陰になりにくくなるので、太陽電池パネルＰ１の設置効率を向上させることができる。
また、前記勾配屋根部５（５Ａ）は、その平面上の大きさが前記一つ分の建物ユニット２ａと略等しくなるため、工場等で、輸送車両の輸送制限以下のサイズにユニット化してから輸送することができる。これによって、現場での組立や防水に係る手間を軽減でき、前記屋根３の施工効率を向上させることができる。
また、前記屋根３が、前記陸屋根部４のみで構成される場合は、ユニット式建物１の上部が水平で画一的なために単調な印象になりがちである。これに対して、前記陸屋根部４に対する当該勾配屋根部５（５Ａ）の広さを比較的狭くすることができるので、例えば前記屋根３が、前記陸屋根部４のみで構成される場合に比して、外観意匠性を高めることができる。
また、前記小屋裏空間Ｓに前記収納部６が設けられているので、前記接続ボックスの収納場所を確保することができる。これによって、従来とは異なり、最上階のスペース内に前記接続ボックスの設置スペースを確保する必要が無くなるので、最上階のスペースが狭められてしまうことを防ぐことができる。
【００１０】
請求項２に記載の発明は、請求項１に記載のユニット式建物１の屋根構造において、
前記収納部６は、前記接続ボックスを設置するための床６ａを備えることを特徴とする。
【００１１】
請求項２に記載の発明によれば、前記収納部６は、前記接続ボックスを設置するための床６ａを備えるので、例えば壁に設置する場合に比して前記接続ボックスを設置しやすくなる。さらに、メンテナンス時にも、当該床６ａに工具や部品等を置いて作業を行うことができるのでメンテナンスしやすい。
【００１２】
請求項３に記載の発明は、請求項１または２に記載のユニット式建物１の屋根構造において、
前記勾配屋根部５（５Ａ）の上面には、勾配屋根用の太陽電池パネルＰ２が設置されていることを特徴とする。
【００１３】
請求項３に記載の発明によれば、前記勾配屋根部５（５Ａ）の上面に、勾配屋根用の太陽電池パネルＰ２が設置されているので、前記陸屋根用の太陽電池パネルＰ１と併せて考慮すれば、前記屋根３全体における太陽電池パネルＰ１，Ｐ２の設置効率を向上させることができる。
【００１４】
請求項４に記載の発明は、請求項１〜３のいずれか一項に記載のユニット式建物１の屋根構造において、
前記勾配屋根部５（５Ａ）を構成する屋根面に天窓８が形成されており、
前記小屋裏空間Ｓには、前記建物本体２の最上階から当該小屋裏空間Ｓに吹き抜ける吹き抜け部７が設けられ、この吹き抜け部７の上方に前記天窓８が配置されていることを特徴とする。
【００１５】
請求項４に記載の発明によれば、前記小屋裏空間Ｓには、前記建物本体２の最上階から当該小屋裏空間Ｓに吹き抜ける吹き抜け部７が設けられ、この吹き抜け部７の上方に前記天窓８が配置されているので、前記天窓８を利用して前記建物本体２内に採光や通風を行ったり、前記建物本体２内の排熱を行ったりすることができる。また、前記吹き抜け部７と前記収納部６とを連通させれば、当該吹き抜け部７から前記接続ボックスのメンテナンスを行うことができるので利便性が高い。
【００１６】
請求項５に記載の発明は、請求項１〜４のいずれか一項に記載のユニット式建物１の屋根構造において、
前記勾配屋根部５（５Ａ）は、
当該勾配屋根部５（５Ａ）の下端部を構成し、かつ前記一つの建物ユニット２ａの上面に載置される小屋パネル２０と、
前記屋根面を構成する屋根パネル２１と、
前記小屋パネル２０の四隅に設けられるとともに前記屋根パネル２１を支持するようにして、当該小屋パネル２０と屋根パネル２１とを接合する接合金物２２と、を備えることを特徴とする。
【００１７】
請求項５に記載の発明によれば、前記勾配屋根部５（５Ａ）の下端部を構成する前記小屋パネル２０が前記一つの建物ユニット２ａの上面に載置されるため、前記勾配屋根部５（５Ａ）の荷重を、当該小屋パネル２０を介して前記一つの建物ユニット２ａに分散させることができる。
また、前記勾配屋根部５（５Ａ）は、前記一つの建物ユニット２ａ分の大きさとなるため、前記屋根パネル２１も必要以上に大きくしなくて済み、前記接合金物２２によって前記小屋パネル２０と前記屋根パネル２１とを接合することで前記勾配屋根部５（５Ａ）を概ね構成できる。したがって、通常の屋根で使用される屋根束等の部材も必要が無くなり、施工コストの低減を図ることも可能となる。
【００１８】
請求項６に記載の発明は、請求項１〜５のいずれか一項に記載のユニット式建物１の屋根構造において、
前記勾配屋根部５（５Ａ）に隣接する前記陸屋根部４は、前記勾配屋根部５（５Ａ）側の端部から上方に向かって立ち上がる防水立ち上がり１６を有することを特徴とする。
【００１９】
請求項６に記載の発明によれば、前記勾配屋根部５（５Ａ）に隣接する前記陸屋根部４は、前記勾配屋根部５（５Ａ）側の端部から上方に向かって立ち上がる防水立ち上がり１６を有するので、前記勾配屋根部５（５Ａ）を、前記建物本体２の最上階に設置すると同時に、前記勾配屋根部５（５Ａ）の側面における防水処理を行うことができる。
【発明の効果】
【００２０】
本発明によれば、意匠性に優れ、かつ接続ボックスの収納場所を確保でき、さらには太陽電池パネルの設置効率および屋根の施工効率を向上させることが可能となる。
【図面の簡単な説明】
【００２１】
【図１】（ａ）はユニット式建物の屋根の平面図であり、（ｂ）は断面図である。
【図２】勾配屋根部の設置態様を示す断面図である。
【図３】勾配屋根部の下端部を示す平面図である。
【図４】勾配屋根部と陸屋根部との桁側の境界を示す断面図である。
【図５】勾配屋根部と陸屋根部との妻側の境界を示す断面図である。
【図６】勾配屋根部の妻側端部の側面図である。
【図７】勾配屋根部の妻側端部の内観を示す図である。
【図８】勾配屋根部の妻側端部の内観を示す図である。
【図９】勾配屋根部の妻側端部の外観を示す図である。
【図１０】（ａ）は他のユニット式建物の屋根の平面図であり、（ｂ）は断面図である。
【発明を実施するための形態】
【００２２】
以下、図面を参照して本発明の実施の形態について説明する。
図１において符号１は、ユニット式建物を示す。このユニット式建物１は、略直方体フレーム状に形成された複数の建物ユニット２ａを組み合わせてなる建物本体２と、当該建物本体２の上部に設けられる屋根３と、を備える。屋根３は、陸屋根部４と、当該陸屋根部４の一部に設けられる勾配屋根部５と、を有するものである。すなわち、屋根３は、陸屋根部４の一部に勾配屋根部５が設けられてなる。
なお、陸屋根部４の上面には、陸屋根用の太陽電池パネルＰ１が設置され、勾配屋根部５の上面には、勾配屋根用の太陽電池パネルＰ２が設置される。
【００２３】
建物本体２は、複数の建物ユニット２ａを左右上下に組み合わせることによって複数階建てに構築されている。そのうち、最上階を構成する複数の建物ユニット２ａは、本実施の形態においては６個（図１において縦３個×横２個）並べられて構成されている。
なお、本実施の形態の建物本体２は複数階建てとしたが、平屋建てに構築されていてもよいものとする。
また、建物本体２を構成する建物ユニット２ａの数は特に限定されるものではなく、その組み合わせ方も特に限定されるものではない。
【００２４】
建物ユニット２ａは、複数本の柱と、これらの柱の上端間どうしを結合する複数本の天井梁２ｂと、前記柱の下端間どうしを結合する複数本の床梁とを備える。天井梁２ｂおよび床梁は、長辺梁と短辺梁とで構成されており、これによって、建物ユニット２ａは略直方体フレーム状に形成されている。
また、図示はしないが、柱の上端部と天井梁２ｂ同士、長辺天井梁２ｂと短辺天井梁２ｂ同士は、それぞれ仕口部材を介して連結されている。また、柱の下端部と床梁、長辺床梁と短辺床梁は、それぞれ仕口部材を介して連結されている。
また、一つ一つの建物ユニット２ａは、輸送車両の輸送制限以下のサイズに設定されているため、輸送車両による輸送が可能となっている。さらに、このような建物ユニット２ａには、外装材や内装材等を適宜装備させた状態としてもよく、その状態でも輸送車両による輸送が可能となっている。
【００２５】
屋根３を構成する陸屋根部４は、前記最上階を構成する複数の建物ユニット２ａのうち前記勾配屋根部５が設けられない略平坦な屋根面を有する箇所を指している。
そして、この陸屋根部４は、図４および図５に示すように、屋根面を構成するスラブ１０と、このスラブ１０を支持するための断面略Ｃ字状の支持フレーム１１，１２，１３と、建物本体２の外周縁部に立設されるパラペット１４と、排水溝１５と、防水立ち上がり１６と、を備える。
【００２６】
スラブ１０としては、ＡＬＣ（autoclaved light concrete；高温高圧蒸気養生の軽量気泡コンクリート）板が採用されている。
また、図４に示すように、支持フレーム１１は、最上階の建物ユニット２ａの長辺天井梁２ｂの上面に設置され、支持フレーム１２は、前記支持フレーム１１と直交して設けられる。さらに、図５に示すように、支持フレーム１３は、勾配屋根部５の妻側端部側に設けられている。
支持フレーム１２の側面には、スラブ１０を受けるアングル形状のスラブ受け１０ａが設けられている。当該支持フレーム１２に設けられた当該スラブ受け１０ａは、スラブ１０が建物本体２の外周縁部側に向かって水勾配を形成できるように、支持フレーム１２に対して傾斜して取り付けられている。
また、支持フレーム１３には、当該支持フレーム１３に固定された固定部材１３ａを介してスラブ受け１０ａが設けられている。スラブ受け１０ａは、当該支持フレーム１３に対して、スラブ１０が建物本体２の外周縁部側に向かって水勾配を形成できるように、やや高い位置に設けられている。
固定部材１３ａは、図５に示すように、支持フレーム１３から建物本体２の外周縁部側に突出して設けられており、スラブ受け１０ａは、当該固定部材１３ａの突出方向先端の上端部に固定されている。
そして、各スラブ受け１０ａ，１０ａによって支持されるようにして前記スラブ１０が設けられている。
【００２７】
パラペット１４は、前記建物本体２の外周縁部から上方に立ち上がる壁状体である。また、このパラペット１４は、前記スラブ１０の外周側端部から離間して配置されている。
排水溝１５は、前記パラペット１４と、前記スラブ１０の外周側端部との間に形成されており、スラブ１０の水勾配の下方側に配置される。なお、このように排水溝１５を形成するために、前記スラブ１０は、その水勾配下方側の端部が前記パラペット１４に達しない程度に短く形成されている。
【００２８】
防水立ち上がり１６は、前記勾配屋根部５に隣接する前記陸屋根部４の勾配屋根部５側の端部から上方に向かって立ち上がるものである。当該防水立ち上がり１６は、前記勾配屋根部５を取り囲むようにして互いに間隔を空けて配置される複数の支柱１６ａと、複数の支柱１６ａ間にわたって設けられて防水面を形成する外壁材１６ｂと、を有する。
支柱１６ａは、図４に示すように、支持フレーム１２に取り付けられた支持部材１２ａを介して設けられている。この支持部材１２ａは断面略Ｃ字状に形成され、前記支持フレーム１１と平行になるようにして前記支持フレーム１２に接合されている。
なお、当該支持部材１２ａには、前記スラブ１０と防水立ち上がり１６との隙間に設けられる補助床１０ｂを支持するための補助床用支持部材１２ｂが固定されている。
また、支柱１６ａは、図５に示すように、支持フレーム１３の上面に設けられている。
【００２９】
パラペット１４の内側面から、排水溝１５と、スラブ１０の上面と、補助床１０ｂの上面とを介して、防水立ち上がり１６の外壁材１６ｂの表面にかけて、防水シート１７が貼設されている。
パラペット１４の内側面に貼設された防水シート１７の上端部は、当該パラペット１４の上端部に設けられる笠木によって覆われている。また、防水立ち上がり１６の外壁材１６ｂの表面に貼設された防水シート１７の端部は、前記支柱１６ａおよび外壁材１６ｂ上端面に貼設されている。
【００３０】
屋根３を構成する勾配屋根部５は、前記建物本体２の最上階を構成する複数の建物ユニット２ａのうち一つ分の建物ユニット２ａの上方に設けられている。換言すれば、当該勾配屋根部５の大きさは、平面視において建物ユニット２ａ一つ分の大きさと略等しく設定されている。さらに、当該勾配屋根部５は、一つの建物ユニット２ａの上方に設けられている。つまり、このような勾配屋根部５、および当該勾配屋根部５の配置は、建物本体２の最上階を構成する複数の建物ユニット２ａの配置に合わせたものとなっている。
なお、勾配屋根部５は切妻屋根とされており、棟と、当該棟から両側に流れる二つの屋根面とがある。
【００３１】
勾配屋根部５を構成する屋根面の下方には小屋裏空間Ｓが形成され、当該小屋裏空間Ｓには、前記太陽電池パネルＰ１，Ｐ２と前記建物本体２内に設置されるパワーコンディショナー（図示せず）とを接続する接続ボックス（図示せず）を収納するための収納部６が配設されている。
また、当該収納部６は、前記接続ボックスを設置するための床６ａを備える。この床６ａは、例えばパーティクルボード等の面材によって構成されている。
【００３２】
また、勾配屋根部５を構成する屋根面には、天窓８，８が形成されている。
さらに、小屋裏空間Ｓには、建物本体２の最上階から当該小屋裏空間Ｓに吹き抜ける吹き抜け部７が設けられ、この吹き抜け部７の上方に前記天窓８，８が配置されている。
収納部６と吹き抜け部７は、図１（ｂ）および図３に示すように、勾配屋根部５の平面視における短手方向の約半分が収納部６、もう約半分が吹き抜け部７とされている。
【００３３】
なお、前記パワーコンディショナーは、前記太陽電池パネルＰ１，Ｐ２によって太陽光を直流電力に変換し、その直流電力を交流電力に変換するためのものである。当該パワーコンディショナーは建物本体２内に設置されており、パワーコンディショナーから出力された交流電力は分電盤やコンセントを通じて各種電気機器に供給される。
また、前記接続ボックスは、接続線を介して、太陽電池パネルＰ１，Ｐ２とパワーコンディショナーとを接続するものである。
また、前記接続線は、例えば後述の、下地材２１ｅおよび外壁材２１ｆと、支柱１６ａおよび外壁材１６ｂとの間に形成される目地（隙間）や、前記勾配屋根部５の棟（一方の屋根面と他方の屋根面との間）等を利用して屋内に引き込むことができる。すなわち、前記屋根３を構成する各部材間の隙間を利用して接続線を屋内に引き込むことができる。ただし、接続線が通過する箇所の隙間は十分に防水処理されているものとする。
【００３４】
そして、勾配屋根部５は、図１〜図９に示すように、当該勾配屋根部５の下端部を構成し、かつ前記一つの建物ユニット２ａの上面に載置される小屋パネル２０と、前記屋根面を構成する屋根パネル２１と、前記小屋パネル２０の四隅に設けられるとともに前記屋根パネル２１を支持するようにして、当該小屋パネル２０と屋根パネル２１とを接合する接合金物２２と、を備える。
【００３５】
小屋パネル２０は、建物本体２の最上階を構成する複数の建物ユニット２ａのうち一つの建物ユニット２ａの上面に設置されるものである。この小屋パネル２０は、矩形枠状部２０ａと、中間梁２０ｄと、複数の小梁２０ｅと、を有する。
矩形枠状部２０ａは、長辺梁２０ｂと短辺梁２０ｃとからなるものであり、長辺梁２０ｂは、前記一つの建物ユニット２ａの長辺天井梁２ｂ上に設置され、短辺梁２０ｃは、前記一つの建物ユニット２ａの短辺天井梁２ｂ上に設置される。
中間梁２０ｄは、前記長辺梁２０ｂと平行に配置されるとともに短辺梁２０ｃ，２０ｃ間に架設されるものである。
複数の小梁２０ｅは、中間梁２０ｄと一方の長辺梁２０ｂ間に架設されるものであり、これら複数の小梁２０ｅは、中間梁２０ｄおよび一方の長辺梁２０ｂの長さ方向に間隔を空けて配置されている。
そして、前記収納部６の床６ａは、一方の長辺梁２０ｂと中間梁２０ｄと複数の小梁２０ｅの上面に敷設されている。
【００３６】
屋根パネル２１は、勾配屋根部５が切妻屋根の形式を採用していることから、二つの屋根面を構成するために少なくとも二つ使用される。
当該屋根パネル２１は、縦横の框材２１ａによって形成された矩形枠体に、母屋や垂木に相当する複数の桟材が架設され、上面に野地板に相当する面材２１ｂが取り付けられたものである。当該面材２１ｂには複数の屋根材２１ｃが葺設されている。
【００３７】
また、勾配方向下端部に位置する框材２１ａには、垂直面を形成するための調整材２１ｄが取り付けられている。また、当該調整材２１ｄの垂直面には、下地材２１ｅを介して外壁材２１ｆが取り付けられている。
下地材２１ｅおよび外壁材２１ｆは、前記防水立ち上がり１６の支柱１６ａおよび外壁材１６ｂの直上に位置しており、これら下地材２１ｅおよび外壁材２１ｆと、支柱１６ａおよび外壁材１６ｂとの間に形成される目地（隙間）は、コーキング等によって防水処理されている。
また、下地材２１ｅおよび外壁材２１ｆの位置と、支柱１６ａおよび外壁材１６ｂの位置とが上下方向に並んで揃った状態となっているので、屋根パネル２１の勾配方向下端部は、陸屋根部４の上方に対して極力張り出さない状態となっている。
【００３８】
屋根パネル２１，２１の妻側両端部には、屋根３（切妻屋根）の両流れ形状に合わせて破風２１ｇが取り付けられている。
また、勾配屋根部５の妻側面には、図２に示すように、山型の受けフレーム９ａおよび複数の受金物９ｂを介して、建物本体２の外装材と同様の外装材９が取り付けられている。当該外装材９の上端部は、図２および図７に示すように、切妻屋根の形状に合わせて山型に形成されている。また、外装材９の下端部は、図９に示すように、防水立ち上がり１６との間に目地（隙間）を形成した状態となっており、当該目地は、コーキング等によって防水処理されている。
なお、破風２１ｇは、図７〜図９に示すように、外装材９の上端部を包含可能な形状に形成されており、当該外装材９の上端部を包含するようにして前記屋根パネル２１，２１の妻側両端部に取り付けられている。
【００３９】
また、屋根パネル２１の勾配方向下端部には、屋根面を伝い落ちる雨水等を下方へと導く水切り部材が適宜設けられている。また、この水切り部材によって、屋根パネル２１と周囲の部材（例えば外壁材２１ｆ）との隙間を閉塞可能となっている。
【００４０】
接合金物２２は、小屋パネル２０の隅部に固定されるベースプレート２２ａと、当該ベースプレート２２ａに立設される柱状部２２ｂと、当該柱状部２２ｂの上端部に設けられるととも屋根パネル２１の下面（母屋に相当する桟材）に当接固定される当接部２２ｃと、補強リブ２２ｄと、を有する。当該補強リブ２２ｄは、ベースプレート２２ａと当接部２２ｃとの間に、かつ柱状部２２ｂに沿うようにして設けられている。
なお、接合金物２２を構成する各部は全て一体的に形成されている。
また、接合金物２２を小屋パネル２０に対して固定する際は、ボルト・ナット等の固定材を用いたり、溶接等の手段を用いたりする。
【００４１】
なお、前記勾配屋根部５の小屋裏空間Ｓは、以上のような矩形枠状の小屋パネル２０と、屋根パネル２１，２１と、四隅の接合金物２２と、防水立ち上がり１６の外壁材１６ｂおよび勾配屋根部５の外壁材２１ｆとで囲まれた空間を指している。
また、収納部６の下方には、建物本体２の最上階の部屋と面一な天井板が取り付けられるものとする。
また、収納部６と吹き抜け部７との間には、これら収納部６と吹き抜け部７とを仕切る仕切り壁６ｂが設けられている。当該仕切り壁６ｂには、図示はしないが、前記接続ボックスのメンテナンス用の開口部（点検口）が形成される。
【００４２】
また、以上のような構成の勾配屋根部５は予め工場等で大部分が組み立てられており、組み立てられた状態において輸送車両による輸送が可能となっている。すなわち、上述のように勾配屋根部５は、一つ分の建物ユニット２ａの大きさと略等しく設定されているので、例えば前記外装材９等を装備させていたとしても、輸送車両による輸送が可能となっている。なお、本実施の形態においては、小屋パネル２０と、屋根パネル２１と、接合金物２２と、天窓８，８と、太陽電池パネルＰ２とが少なくとも予め工場等で組み立てられている。
また、前記屋根パネル２１には、図示しないアイボルトが設けられており、当該アイボルトにクレーン等のフックを引っ掛けて、勾配屋根部５の吊り込み作業を行うことができるようになっている。
【００４３】
次に、以上のような屋根３の施工方法について説明する。
まず、建物本体２を構築し、最上階を構成する複数の建物ユニット２ａの上面に、前記支持フレーム１１，１２，１３等の各種フレーム材によって陸屋根部４の骨組みを形成する。その後、前記スラブ１０やパラペット１４、前記防水立ち上がり１６の施工を行い、最終的に防水シート１７の貼設を行う。
また、複数の建物ユニット２ａうち、勾配屋根部５が設けられ一つの建物ユニット２ａの上方には陸屋根部４を形成せずにしておく。
なお、支持フレーム１１，１２，１３やスラブ１０等は、予め工場等で組み立てておくようにしてもよい。
【００４４】
続いて、予め組み立てられた状態の勾配屋根部５を、クレーン等によって吊り上げて、図２に示すように、前記陸屋根部４が形成されていない箇所に合致させるようにして設置する。より詳細には、勾配屋根部５の小屋パネル２０を、前記一つの建物ユニット２ａの天井梁２ｂの上面に設置させるようにする。
【００４５】
続いて、勾配屋根部５の現場施工を行う。すなわち、前記下地材２１ｅおよび外壁材２１ｆや、破風２１ｇ、水切り部材等を取り付けていく。また、コーキング等によって、下地材２１ｅおよび外壁材２１ｆと、支柱１６ａおよび外壁材１６ｂとの間に形成される目地の防水処理を行う。
【００４６】
小屋裏空間Ｓの内部についても、例えば前記床６ａや仕切り壁６ｂ等を小屋裏空間Ｓの内面に取り付けるなどして、予め工場等で組み立てておいてもよいものとする。
続いて、前記収納部６の床６ａに接続ボックスを設置して、当該収納部６に接続ボックスを収納する。また、前記陸屋根部４にも太陽電池パネルＰ１を設置し、当該太陽電池パネルＰ１および前記太陽電池パネルＰ２と、接続ボックスとを接続線によって接続する。
以上のようにして屋根３の施工を行うことができる。
【００４７】
なお、本実施の形態の勾配屋根部５は、図１に示すように、建物本体２の上面の右側端部の中央側に配置したが、これに限られるものではなく、例えば図１０に示すように、建物本体２の上面の隅部に配置してもよいものとする。
このような場合も、図１０に示す勾配屋根部５Ａは、建物本体２の最上階を構成する複数の建物ユニット２ａのうちの一つの建物ユニット２ａの上面に設置されており、当該一つの建物ユニット２ａの大きさと略等しい大きさに設定されている。なお、このような配置の場合は、勾配屋根部５Ａの形状を招き屋根状に形成して、屋根パネル２１の下端部が、建物本体２の外壁の上端部まで到達するように設定することが望ましい。
【００４８】
本実施の形態によれば、前記勾配屋根部５（５Ａ）は、前記建物本体２の最上階を構成する複数の建物ユニット２ａのうち一つ分の建物ユニット２ａの上方に設けられるものであるため、従来に比して、前記陸屋根部４に対する当該勾配屋根部５（５Ａ）の広さは比較的狭くなる。これによって、前記陸屋根部４に前記陸屋根用の太陽電池パネルＰ１をより多く設置できるとともに、当該設置された前記陸屋根用の太陽電池パネルＰ１が、前記勾配屋根部５（５Ａ）の陰になりにくくなるので、太陽電池パネルＰ１の設置効率を向上させることができる。
また、前記勾配屋根部５（５Ａ）は、その平面上の大きさが前記一つ分の建物ユニット２ａと略等しくなるため、工場等で、輸送車両の輸送制限以下のサイズにユニット化してから輸送することができる。これによって、現場での組立や防水に係る手間を軽減でき、前記屋根３の施工効率を向上させることができる。
また、前記陸屋根部４に対する当該勾配屋根部５（５Ａ）の広さを比較的狭くすることができるので、例えば前記屋根３が、前記陸屋根部４のみで構成される場合に比して、外観意匠性を高めることができる。
また、前記小屋裏空間Ｓに前記収納部６が設けられているので、前記接続ボックスの収納場所を確保することができる。これによって、従来とは異なり、最上階のスペース内に前記接続ボックスの設置スペースを確保する必要が無くなるので、最上階のスペースが狭められてしまうことを防ぐことができる。
【００４９】
また、前記収納部６は、前記接続ボックスを設置するための床６ａを備えるので、例えば壁に設置する場合に比して前記接続ボックスを設置しやすくなる。さらに、メンテナンス時にも、当該床６ａに工具や部品等を置いて作業を行うことができるのでメンテナンスしやすい。
【００５０】
また、前記勾配屋根部５（５Ａ）の前記屋根面に、前記勾配屋根用の太陽電池パネルＰ２が設置されているので、前記陸屋根用の太陽電池パネルＰ１と併せて考慮すれば、前記屋根３全体における太陽電池パネルＰ１，Ｐ２の設置効率を向上させることができる。
【００５１】
また、前記小屋裏空間Ｓには、前記建物本体２の最上階から当該小屋裏空間Ｓに吹き抜ける吹き抜け部７が設けられ、この吹き抜け部７の上方に前記天窓８が配置されているので、前記天窓８を利用して前記建物本体２内に採光や通風を行ったり、前記建物本体２内の排熱を行ったりすることができる。また、前記吹き抜け部７と前記収納部６とを連通させれば、当該吹き抜け部７から前記接続ボックスのメンテナンスを行うことができるので利便性が高い。
【００５２】
また、前記勾配屋根部５（５Ａ）の下端部を構成する前記小屋パネル２０が前記一つの建物ユニット２ａの上面に載置されるため、前記勾配屋根部５（５Ａ）の荷重を、当該小屋パネル２０を介して前記一つの建物ユニット２ａに分散させることができる。
また、前記勾配屋根部５（５Ａ）は、前記一つの建物ユニット２ａ分の大きさとなるため、前記屋根パネル２１も必要以上に大きくしなくて済み、前記接合金物２２によって前記小屋パネル２０と前記屋根パネル２１とを接合することで前記勾配屋根部５（５Ａ）を概ね構成できる。したがって、通常の屋根で使用される屋根束等の部材も必要が無くなり、施工コストの低減を図ることも可能となる。
【００５３】
また、前記勾配屋根部５（５Ａ）に隣接する前記陸屋根部４は、前記勾配屋根部５（５Ａ）側の端部から上方に向かって立ち上がる防水立ち上がり１６を有するので、前記勾配屋根部５（５Ａ）を、前記建物本体２の最上階に設置すると同時に、前記陸屋根部４と前記勾配屋根部５（５Ａ）の側面における防水処理を行うことができる。
【符号の説明】
【００５４】
１  ユニット式建物
２  建物本体
３  屋根
４  陸屋根部
５，５Ａ  勾配屋根部
６  収納部
Ｓ  小屋裏空間
Ｐ１  太陽電池パネル
Ｐ２  太陽電池パネル
【図１】
2014227687.tif 000003
【図２】
2014227687.tif 000004
【図３】
2014227687.tif 000005
【図４】
2014227687.tif 000006
【図５】
2014227687.tif 000007
【図６】
2014227687.tif 000008
【図７】
2014227687.tif 000009
【図８】
2014227687.tif 000010
【図９】
2014227687.tif 000011
【図１０】
2014227687.tif 000012